【手続補正書】
【提出日】平成24年12月13日(2012.12.13)
【手続補正１】
【補正対象書類名】特許請求の範囲
【補正対象項目名】全文
【補正方法】変更
【補正の内容】
【特許請求の範囲】
【請求項１】
入力手段と、音声出力手段と、楽曲の楽音信号の波形データを記憶した記憶手段とを備える情報処理装置のコンピュータを、
前記楽曲の中から、繰り返し再生を行うべき５［ｍｓｅｃ］以上２００［ｍｓｅｃ］以下の長さの繰り返し区間を、前記入力手段に対する入力に従って選出する区間選出手段、及び、前記区間選出手段によって選出された前記繰り返し区間に基づく音を前記音声出力手段に繰り返し再生させる楽曲再生手段として機能させる、採譜支援プログラム。
【請求項２】
前記繰り返し区間の信号波形の基本周期の整数倍の長さとなるように、当該信号波形の端部をさらに加工する第１加工手段として前記コンピュータをさらに機能させ、
前記楽曲再生手段では、前記第１加工手段によってさらに加工された音を前記音声出力手段に繰り返し再生させる、請求項１に記載の採譜支援プログラム。
【請求項３】
前記楽曲再生手段で繰り返し再生される音を、繰り返しのつなぎ目において信号波形の振幅の大きさが連続するようにさらに加工する第２加工手段として前記コンピュータをさらに機能させ、
前記楽曲再生手段は、前記第２加工手段によってさらに加工された音を前記音声出力手段に繰り返し再生させる、請求項１又は２に記載の採譜支援プログラム。
【請求項４】
前記楽曲再生手段で繰り返し再生される音を、繰り返しのつなぎ目において信号の傾きの変化量が所定値以下となるようにさらに加工する第３加工手段として前記コンピュータをさらに機能させ、
前記楽曲再生手段は、前記第３加工手段によってさらに加工された音を前記音声出力手段に繰り返し再生させる、請求項１〜３のいずれかに記載の採譜支援プログラム。
【請求項５】
前記楽曲再生手段で繰り返し再生される音を、始端と終端との間で信号波形の振幅の差が小さくなるようにさらに加工する第４加工手段として前記コンピュータをさらに機能させ、
前記楽曲再生手段は、前記第４加工手段によってさらに加工された音を前記音声出力手段に繰り返し再生させる、請求項１〜４のいずれかに記載の採譜支援プログラム。
【請求項６】
前記楽曲再生手段による繰り返し再生中に、当該繰り返し区間を移動させる指示を前記入力手段で受け付け、当該入力手段に対する入力に応じて、前記繰り返し区間を当該繰り返し区間の長さ以下の時間だけ前または後に移動させる区間移動手段として前記コンピュータをさらに機能させる、請求項１〜５のいずれかに記載の採譜支援プログラム。
【請求項７】
前記区間選出手段は、一時停止位置を基準に、前記繰り返し区間を選出することを特徴とする、請求項１〜６のいずれかに記載の採譜支援プログラム。
【手続補正２】
【補正対象書類名】明細書
【補正対象項目名】０００７
【補正方法】変更
【補正の内容】
【０００７】
本発明は、上記の課題を解決するために、以下の構成を採用した。すなわち、本発明は、入力手段と、音声出力手段と、楽曲の楽音信号の波形データを記憶した記憶手段とを備える情報処理装置のコンピュータに実行させるための採譜支援プログラムである。採譜支援プログラムは、区間選出手段と、楽曲再生手段としてコンピュータを機能させる。区間選出手段は、楽曲の中から、繰り返し再生を行うべき５［ｍｓｅｃ］以上２００［ｍｓｅｃ］以下の長さの繰り返し区間を、入力手段に対する入力に従って選出する。楽曲再生手段は、区間選出手段によって選出された繰り返し区間に基づく音を音声出力手段に繰り返し再生させる。さらに、加工手段としてコンピュータを機能させるとよい。加工手段は、繰り返し区間の信号波形の基本周期の整数倍の長さとなるように、当該信号波形の端部を加工する。この場合、楽曲再生手段では、加工手段によってさらに加工された音を音声出力手段に繰り返し再生させる。
【手続補正３】
【補正対象書類名】明細書
【補正対象項目名】０００９
【補正方法】変更
【補正の内容】
【０００９】
また、採譜支援プログラムは、楽曲再生手段で繰り返し再生される音を、繰り返しのつなぎ目において信号波形の振幅の大きさが連続するようにさらに加工する加工手段としてコンピュータをさらに機能させてもよい。このとき、楽曲再生手段は、当該加工手段によってさらに加工された音を音声出力手段に繰り返し再生させる。
【手続補正４】
【補正対象書類名】明細書
【補正対象項目名】００１１
【補正方法】変更
【補正の内容】
【００１１】
また、加工手段は、繰り返し区間の信号波形を時間に関して反転させた信号波形を表す反転区間データを生成してもよい。このとき、楽曲再生手段は、区間データの音と反転区間データの音とを交互に用いて繰り返し区間の音を音声出力手段に繰り返し再生させる。
【手続補正５】
【補正対象書類名】明細書
【補正対象項目名】００１３
【補正方法】変更
【補正の内容】
【００１３】
また、楽曲再生手段で繰り返し再生される音を、繰り返しのつなぎ目において信号の傾きの変化量が所定値以下となるようにさらに加工する加工手段としてコンピュータをさらに機能させ、楽曲再生手段は、当該加工手段によってさらに加工された音を音声出力手段に繰り返し再生させてもよい。
【手続補正６】
【補正対象書類名】明細書
【補正対象項目名】００１５
【補正方法】変更
【補正の内容】
【００１５】
また、採譜支援プログラムは、基本周期の整数倍の長さに加工された繰り返し区間の始点から所定長さの区間において振幅が次第に増加するように、かつ、当該繰り返し区間の終点から当該所定長さの区間において振幅が次第に減少するように、区間データおよび反転区間データを加工する加工手段として前記コンピュータをさらに機能させてもよい。このとき、楽曲再生手段は、当該加工手段によって加工された区間データと反転区間データとのうち一方の始点から所定長さの区間と、他方の終点から所定長さの区間とを重畳させて、区間データの音と反転区間データの音とを交互に繰り返し再生させる。
【手続補正７】
【補正対象書類名】明細書
【補正対象項目名】００１７
【補正方法】変更
【補正の内容】
【００１７】
また、当該加工手段は、基本周期の整数倍の長さに加工された繰り返し区間の信号波形を時間に関して反転させた信号波形を生成し、基本周期の整数倍の長さに加工された繰り返し区間の信号波形と当該反転させた信号波形とを重畳した信号波形を表す重畳区間データを生成してもよい。このとき、楽曲再生手段は、重畳区間データを用いて繰り返し区間の音を音声出力手段に繰り返し再生させる。
【手続補正８】
【補正対象書類名】明細書
【補正対象項目名】００１９
【補正方法】変更
【補正の内容】
【００１９】
また、当該加工手段は、基本周期の整数倍の長さに加工された繰り返し区間の音を繰り返し再生する場合における繰り返しのつなぎ目において信号の傾きの変化量が所定値以下となるように、区間データまたは重畳区間データの信号波形の端部を補正してもよい。
【手続補正９】
【補正対象書類名】明細書
【補正対象項目名】００２１
【補正方法】変更
【補正の内容】
【００２１】
また、採譜支援プログラムは、基本周期の整数倍の長さに加工された繰り返し区間の始点から所定長さの区間において振幅が次第に増加するように、かつ、当該繰り返し区間の終点から当該所定長さの区間において振幅が次第に減少するように、当該繰り返し区間の波形データである区間データを加工する加工手段としてコンピュータをさらに機能させてもよい。このとき、楽曲再生手段は、当該加工手段によって加工された区間データを、繰り返し区間の始点から所定長さの区間と終点から所定長さの区間とを重畳させて、繰り返し再生させる。
【手続補正１０】
【補正対象書類名】明細書
【補正対象項目名】００２２
【補正方法】変更
【補正の内容】
【００２２】
また、採譜支援プログラムは、基本周期の整数倍の長さに加工された繰り返し区間の音を繰り返し再生する場合における繰り返しのつなぎ目において信号波形が連続するように、当該繰り返し区間の波形データである区間データの信号波形の端部を変更する加工を行う加工手段としてコンピュータをさらに機能させてもよい。このとき、楽曲再生手段は、当該加工手段によって加工された区間データの音を音声出力手段に繰り返し再生させる。
【手続補正１１】
【補正対象書類名】明細書
【補正対象項目名】００２４
【補正方法】変更
【補正の内容】
【００２４】
また、採譜支援プログラムは、楽曲再生手段で繰り返し再生される音を、始端と終端との間で信号波形の振幅の差が小さくなるように、楽曲の波形データのうちの繰り返し区間の波形データである区間データを加工する加工手段としてコンピュータをさらに機能させてもよい。このとき、楽曲再生手段は、当該加工手段によって加工された区間データを用いて繰り返し区間の音を音声出力手段に繰り返し再生させる。
【手続補正１２】
【補正対象書類名】明細書
【補正対象項目名】００２６
【補正方法】変更
【補正の内容】
【００２６】
また、当該加工手段は、区間データの信号波形を複数のブロックに分割し、各ブロックのそれぞれの平均振幅が同じになるように各ブロックの振幅を調整してもよい。このとき、楽曲再生手段は、ブロック毎に振幅が調整された区間データの音を音声出力手段に繰り返し再生させる。
【手続補正１３】
【補正対象書類名】明細書
【補正対象項目名】００２８
【補正方法】変更
【補正の内容】
【００２８】
また、当該加工手段は、区間データの音信号を複数のブロックに分割し、各ブロックに所定の重みを付して重畳させた波形データを生成してもよい。楽曲再生手段は、加工手段によって生成された波形データの音を音声出力手段に繰り返し再生させる。
【手続補正１４】
【補正対象書類名】明細書
【補正対象項目名】００３０
【補正方法】変更
【補正の内容】
【００３０】
また、採譜支援プログラムは、楽曲再生手段による繰り返し再生中に、当該繰り返し区間を移動させる指示を入力手段で受け付け、当該入力手段に対する入力に応じて、繰り返し区間を当該繰り返し区間の長さ以下の時間だけ前または後に移動させる区間移動手段としてコンピュータをさらに機能させてもよい。